【手続補正書】
【提出日】平成26年9月16日(2014.9.16)
【手続補正１】
【補正対象書類名】特許請求の範囲
【補正対象項目名】全文
【補正方法】変更
【補正の内容】
【特許請求の範囲】
【請求項１】
行方向に延在する複数の第１配線と、列方向に延在する複数の第２配線と、各第１配線と各第２配線との交差点に対応して１つずつ配置された複数の画素とを備え、
前記複数の第１配線のうち２つの配線、または前記複数の第２配線のうち２つの配線は、ともに、互いに隣接する２つの画素に挟まれた共通の領域に配置されており、かつ、これら２つの配線の厚さ方向のレイアウトが、少なくとも一部において互いに異なっている
表示パネル。
【請求項２】
前記２つの配線は、当該表示パネルの表示領域において、互いに異なるレイヤーに配置されている
請求項１に記載の表示パネル。
【請求項３】
前記２つの配線は、映像信号に応じた信号が印加される信号線である
請求項１または請求項２に記載の表示パネル。
【請求項４】
前記２つの配線の配線長は、互いに等しくなっている
請求項１ないし請求項３のいずれか一項に記載の表示パネル。
【請求項５】
前記２つの配線を間に挟み込む２つの画素において、一方の画素のレイアウトが、他方の画素のレイアウトを反転させたレイアウトとなっている
請求項１ないし請求項４のいずれか一項に記載の表示パネル。
【請求項６】
行方向に延在する複数の第１配線と、列方向に延在する複数の第２配線と、各第１配線と各第２配線との交差点に対応して１つずつ配置された複数の画素とを有する表示パネルと、
前記複数の第１配線および前記第２配線を介して各画素を駆動する駆動回路と
を備え、
前記表示パネルは、前記複数の第１配線のうち２つの配線、または前記複数の第２配線のうち２つの配線は、ともに、互いに隣接する２つの画素に挟まれた共通の領域に配置されており、かつ、これら２つの配線の厚さ方向のレイアウトが、少なくとも一部において互いに異なっている
表示装置。
【請求項７】
表示装置を備え、
前記表示装置は、
行方向に延在する複数の第１配線と、列方向に延在する複数の第２配線と、各第１配線と各第２配線との交差点に対応して１つずつ配置された複数の画素とを有する表示パネルと、
前記複数の第１配線および前記第２配線を介して各画素を駆動する駆動回路と
を有し、
前記表示パネルは、前記複数の第１配線のうち２つの配線、または前記複数の第２配線のうち２つの配線は、ともに、互いに隣接する２つの画素に挟まれた共通の領域に配置されており、かつ、これら２つの配線の厚さ方向のレイアウトが、少なくとも一部において互いに異なっている
電子機器。
【手続補正２】
【補正対象書類名】明細書
【補正対象項目名】００１１
【補正方法】変更
【補正の内容】
【００１１】
【図１】本技術による一実施の形態に係る表示装置の構成の一例を表す図である。
【図２】画素の構成の一例を表す図である。
【図３】表示領域のレイアウトの一例を表す図である。
【図４】表示領域のレイアウトの他の例を表す図である。
【図５】互いに隣接する２つの配線の位置関係の一例を表す図である。
【図６】互いに隣接する２つの配線の位置関係の他の例を表す図である。
【図７】互いに隣接する２つの配線の位置関係のその他の例を表す図である。
【図８】表示パネルに印加する各種電圧の経時変化の一例と、駆動トランジスタのゲート電圧およびソース電圧の経時変化の一例とを表す図である。
【図９】比較例に係る表示パネルに印加する各種電圧の経時変化の一例と、駆動トランジスタのゲート電圧およびソース電圧の経時変化の一例とを表す図である。
【図１０】表示パネルに印加する各種電圧の経時変化の他の例と、駆動トランジスタのゲート電圧およびソース電圧の経時変化の他の例とを表す図である。
【図１１】上記実施の形態の表示装置を含むモジュールの概略構成を表す平面図である。
【図１２】上記実施の形態の表示装置の適用例１の外観を表す斜視図である。
【図１３】（Ａ）は適用例２の表側から見た外観を表す斜視図であり、（Ｂ）は裏側から見た外観を表す斜視図である。
【図１４】適用例３の外観を表す斜視図である。
【図１５】適用例４の外観を表す斜視図である。
【図１６】（Ａ）は適用例５の開いた状態の正面図、（Ｂ）はその側面図、（Ｃ）は閉じた状態の正面図、（Ｄ）は左側面図、（Ｅ）は右側面図、（Ｆ）は上面図、（Ｇ）は下面図である。
【手続補正３】
【補正対象書類名】明細書
【補正対象項目名】００１３
【補正方法】変更
【補正の内容】
【００１３】
＜１．実施の形態＞
［構成］
図１は、本技術による一実施の形態に係る表示装置１の概略構成を表したものである。この表示装置１は、表示パネル１０と、表示パネル１０を駆動する駆動回路２０とを備えている。駆動回路２０は、例えば、タイミング生成回路２１、映像信号処理回路２２、信号線駆動回路２３、書込線駆動回路２４、および電源線駆動回路２５を有している。
【手続補正４】
【補正対象書類名】明細書
【補正対象項目名】００１４
【補正方法】変更
【補正の内容】
【００１４】
（表示パネル１０）
表示パネル１０は、複数の画素１１が表示パネル１０の表示領域１０Ａ全面に渡って２次元配置されたものである。画素１１は、表示パネル１０上の画面を構成する最小単位の点に対応するものである。表示パネル１０がカラー表示パネルである場合には、画素１１は、例えば赤、緑または青などの単色の光を発する副画素に相当し、表示パネル１０がモノクロ表示パネルである場合には、画素１１は、白色光を発する画素に相当する。
【手続補正５】
【補正対象書類名】明細書
【補正対象項目名】００３２
【補正方法】変更
【補正の内容】
【００３２】
（駆動回路２０）
次に、駆動回路２０内の各回路について、図１を参照して説明する。タイミング生成回路２１は、信号線駆動回路２３、書込線駆動回路２４および電源線駆動回路２５が連動して動作するように制御するものである。タイミング生成回路２１は、例えば、外部から入力された同期信号２０Ｂに応じて（同期して）、上述した各回路に対して制御信号２１Ａを出力するようになっている。タイミング生成回路２１は、例えば、映像信号処理回路２２、信号線駆動回路２３、書込線駆動回路２４および電源線駆動回路２５などと共に、例えば、表示パネル１０とは別体の制御回路基板（図示せず）上に形成されている。
【手続補正６】
【補正対象書類名】明細書
【補正対象項目名】００３５
【補正方法】変更
【補正の内容】
【００３５】
書込線駆動回路２４は、制御信号２１Ａの入力に応じて（同期して）、複数の書込線ＷＳＬの中から１または複数の書込線ＷＳＬに選択パルスを順次印加し、これにより、１または複数の画素行を順次選択するものである。書込線駆動回路２４は、例えば、書き込みトランジスタＴｒ２をオンさせるときに印加する電圧Ｖｏｎと、書き込みトランジスタＴｒ２をオフさせるときに印加する電圧Ｖｏｆｆとを出力することが可能となっている。
【手続補正７】
【補正対象書類名】明細書
【補正対象項目名】００４８
【補正方法】変更
【補正の内容】
【００４８】
＜２．適用例＞
以下、上記実施の形態で説明した表示装置１の適用例について説明する。上述の表示装置１は、テレビジョン装置、デジタルカメラ、ノート型パーソナルコンピュータ、携帯電話等の携帯端末装置あるいはビデオカメラなど、外部から入力された映像信号あるいは内部で生成した映像信号を、映像あるいは映像として表示するあらゆる分野の電子機器の表示装置に適用することが可能である。
【手続補正８】
【補正対象書類名】明細書
【補正対象項目名】００５５
【補正方法】変更
【補正の内容】
【００５５】
以上、実施の形態および適用例を挙げて本技術を説明したが、本技術は上記実施の形態等に限定されるものではなく、種々変形が可能である。
【手続補正９】
【補正対象書類名】明細書
【補正対象項目名】００５６
【補正方法】変更
【補正の内容】
【００５６】
例えば、上記実施の形態等では、信号線ＤＴＬ同士が互いに近接する場合が例示されていたが、書込線ＷＳＬ同士が互いに近接する場合や、電源線ＤＳＬ同士が互いに近接する場合にも、本技術をもちろん適用可能である。
【手続補正１０】
【補正対象書類名】図面
【補正対象項目名】図１
【補正方法】変更
【補正の内容】
【図１】
2013097050.tif 000001